(57)【要約】  本発明は、照明灯装置に関し、より詳細には、内部にＬＥＤが備えられ、周辺を照らすことはもちろん、上端に配置される電子機器に内蔵されたバッテリに誘導電流を起こして充電できる照明灯装置に関し、透明又は半透明な材質からなり、上下が開放された本体；前記本体の開放された上端に結合され、上端に配置される電子機器に内蔵されたバッテリを充電できる無線充電ゾーンを形成する蓋；及び前記本体の開放された下端に結合され、電力を供給するための電力供給手段と、前記電力供給手段から電力の供給を受けながら光を発散する多数のＬＥＤが上面に備えられる印刷回路基板とが内部に内蔵される支持板；を含む。
2019510358.tif 000002
【特許請求の範囲】
【請求項１】
透明又は半透明な材質からなり、上下が開放された本体；
前記本体の開放された上端に結合され、上端に配置される電子機器に内蔵されたバッテリを充電できる無線充電ゾーンを形成する蓋；及び
前記本体の開放された下端に結合され、電力を供給するための電力供給手段と、前記電力供給手段から電力の供給を受けながら光を発散する多数のＬＥＤが上面に備えられる印刷回路基板と、が内部に内蔵される支持板；を含むことを特徴とする照明灯装置。
【請求項２】
前記蓋は、
前記本体の内側上端部に嵌められて回転・結合される結合部；及び
前記結合部の上端に結合され、上端に配置される電子機器に内蔵されたバッテリに電磁気誘導、磁気共鳴、電磁気波方式のうちいずれか一つの方式を用いて誘導電流を起こすことによって前記バッテリを充電する充電パッド部；を含んで構成されることを特徴とする、請求項１に記載の照明灯装置。
【請求項３】
前記支持板は、
内側下端部に前記電力供給手段が配置され、前記電力供給手段が配置された位置から上部に離隔した位置に印刷回路基板が配置され、前記電力供給手段と前記印刷回路基板は第１ケーブルを媒介にして電気的に連結・設置されることを特徴とする、請求項１に記載の照明灯装置。
【請求項４】
前記印刷回路基板の中央には貫通孔が形成され、前記電力供給手段と前記充電パッド部が第２ケーブルを媒介にして電気的に連結・設置され、前記第２ケーブルは、前記印刷回路基板の中央に形成された貫通孔を通過して高さ方向に沿って垂直に連結・設置されることを特徴とする、請求項３に記載の照明灯装置。
【請求項５】
別途に備えられて制御命令信号を送信する遠隔制御部をさらに含み、
前記遠隔制御部には、
前記ＬＥＤを点灯又は点滅させるオンオフボタン；
前記ＬＥＤが点灯された状態で明るさや彩度を調節する調節ボタン；
一定時間ごとに前記ＬＥＤから発散される光の色を変換させる色変換ボタン；及び
点灯された状態の前記ＬＥＤを既に設定された時刻に点滅させる自動点滅ボタン；が備えられることを特徴とする、請求項１に記載の照明灯装置。
【請求項６】
前記印刷回路基板には、
前記遠隔制御部から制御命令信号を受信する信号送受信口；及び
前記信号送受信口から信号を受信し、受信された制御命令信号によって前記ＬＥＤを点灯又は点滅させたり、前記ＬＥＤが点灯された状態で明るさや彩度を調節したり、一定時間ごとに前記ＬＥＤから発散される光の色を変換させたり、点灯された状態の前記ＬＥＤを既に設定された時刻に点滅させるように制御するコントロールチップ；が一体に備えられることを特徴とする、請求項５に記載の照明灯装置。
【請求項７】
前記支持板の外周面には、前記支持板の内部に内蔵された電力供給手段を充電できるように、電気配線が連結・設置された接続器具が内挿される接続口が形成されることを特徴とする、請求項１に記載の照明灯装置。
【発明の詳細な説明】
【技術分野】
【０００１】
本発明は、照明灯装置に関し、より詳細には、内部にＬＥＤが備えられ、周辺を照らすことはもちろん、上端に配置される電子機器に内蔵されたバッテリに誘導電流を起こして充電できる照明灯装置に関する。
【背景技術】
【０００２】
近年、疲労回復や美容及び人体損傷の回復のために民間療法が多く使用されているが、このような民間療法は、漢方医学及び西洋医学と共に、代替医学という第３医学と呼ばれている。
【０００３】
代替医学は、心身医学、薬草医学、食餌療法、栄養療法、生化学療法、手治療、代替医学的物理治療、磁気療法、鍼灸学、自然医学、診断学などに多様に分類されている。このうち代替医学的物理治療に属する水治療、色彩療法、腸療法、附缸などにカラーセラピーを適用するものとして、色が持っている固有の波長及び振動数が一つのエネルギー形態で人及び動植物に影響を及ぼすことが科学的に確認されながら、これを健康及び治療に応用する治療方法が開発された。
【０００４】
カラーセラピーにおいては、各色が固有の波長及び振動数を有し、その色が人体に及ぼす影響も多様に表れている。例えば、赤色は、充血した部位を解す機能を有する色であって、血液循環を活性化する。緋色は、脳への刺激や炎症を減少させ、腎臓にエネルギーを吹き込む効果を有する。緑色は、強い治療効果を有する色であって、交感神経系に作用し、腎臓及び肝臓の機能を促進し、公害物質に対する解毒作用が強い。青色は、心を落ち着かせる色であって、不眠症に効果を有し、喘息や呼吸器疾患、筋肉萎縮症、消化障害、潰瘍、甲状腺機能障害、その他の意欲低下などに効果を発揮する。また、橙色は、糖尿病の治療時、頻繁に見るだけでもインスリン使用量を低下できる色として知られている。
【０００５】
また、紫色は、食欲を調節する作用を有し、肥満症の治療を促進し、心臓活動も楽にする機能を有する。桃色は、身体よりは精神的な面により多くの影響を与える色であって、体の振動を高めることによって活力を与える。黄色は、粘液性分泌物を除去する性質を有する色であって、風邪の治療に効果的である。深紅色は、赤色と紫色とが合わせられた色であって、頭痛及び偏頭痛をなくす一方、愛、同情及び包容力を持たせる色として知られている。
【０００６】
韓国公開特許第１０−２０１２−００８４４１１号には、面発光を用いることによって、胴体の前面を介してカラーセラピーのための色を感じられるように構成し、カラーセラピーの効果を得ることができ、インテリアの面でも非常に自由であるので容易に使用できる「カラーセラピー照明」が開示されている。
【０００７】
しかし、このようなカラーセラピー照明は、単純に光のみを排出するので、単純な視覚作用効果のみを発揮するという限界を有する。
【０００８】
このような問題を解決するために、最近は、単純な視覚作用のみならず、実生活で有用な機能をさらに組み入れた照明装置が要求されている実情にある。
【発明の概要】
【発明が解決しようとする課題】
【０００９】
本発明は、単純な視覚作用のみならず、生理的及び感性的効果と共に、日常生活で常に所持しているスマートフォンなどの電子機器を無線で充電できる機能を組み入れた照明灯装置を提供することを目的とする。
【課題を解決するための手段】
【００１０】
本発明に係る照明灯装置は、透明又は半透明な材質からなり、上下が開放された本体；前記本体の開放された上端に結合され、上端に配置される電子機器に内蔵されたバッテリを充電できる無線充電ゾーンを形成する蓋；及び前記本体の開放された下端に結合され、電力を供給するための電力供給手段と、前記電力供給手段から電力の供給を受けながら光を発散する多数のＬＥＤが上面に備えられる印刷回路基板とが内部に内蔵される支持板；を含むことを特徴とする。
【００１１】
前記蓋は、前記本体の内側上端部に嵌められて回転・結合される結合部；及び前記結合部の上端に結合され、上端に配置される電子機器に内蔵されたバッテリに電磁気誘導、磁気共鳴、電磁気波方式のうちいずれか一つの方式を用いて誘導電流を起こすことによって前記バッテリを充電する充電パッド部；を含んで構成されることを特徴とする。
【００１２】
前記支持板は、内側下端部に前記電力供給手段が配置され、前記電力供給手段が配置された位置から上部に離隔した位置に印刷回路基板が配置され、前記電力供給手段と前記印刷回路基板は、第１ケーブルを媒介にして電気的に連結・設置されることを特徴とする。
【００１３】
このとき、前記印刷回路基板の中央には貫通孔が形成され、前記電力供給手段と前記充電パッド部が第２ケーブルを媒介にして電気的に連結・設置され、前記第２ケーブルは、前記印刷回路基板の中央に形成された貫通孔を通過して高さ方向に沿って垂直に連結・設置されることを特徴とする。
【００１４】
本発明による照明灯装置は、別途に備えられて制御命令信号を送信する遠隔制御部をさらに含むことができる。
【００１５】
このとき、前記遠隔制御部には、前記ＬＥＤを点灯又は点滅させるオンオフボタン；前記ＬＥＤが点灯された状態で明るさや彩度を調節する調節ボタン；一定時間ごとに前記ＬＥＤから発散される光の色を変換させる色変換ボタン；及び点灯された状態の前記ＬＥＤを既に設定された時刻に点滅させる自動点滅ボタン；が備えられる。
【００１６】
前記印刷回路基板には、前記遠隔制御部から制御命令信号を受信する信号送受信口；及び前記信号送受信口から信号を受信し、受信された制御命令信号によって前記ＬＥＤを点灯又は点滅させたり、前記ＬＥＤが点灯された状態で明るさや彩度を調節したり、一定時間ごとに前記ＬＥＤから発散される光の色を変化させたり、点灯された状態の前記ＬＥＤを既に設定された時刻に点滅させるように制御するコントロールチップ；が一体に備えられる。
【００１７】
一方、前記支持板の外周面には、前記支持板の内部に内蔵された電力供給手段を充電できるように電気配線が連結・設置された接続器具が内挿される接続口が形成されることを特徴とする。
【発明の効果】
【００１８】
本発明の照明灯装置は、本体の内部に備えられ、周辺を照らすＬＥＤから多様な色の光を発散することによって、発散される光が人の視神経を介して大脳に伝達され、刺激、生気、休息及び鎮静などの心理的な役割を管理できるという効果を有する。
【００１９】
そして、無線充電ゾーンを形成する充電パッド部を備えることによって、上端に配置される電子機器に内蔵されたバッテリに誘導電流を起こして充電できるという効果を有する。
【図面の簡単な説明】
【００２０】
【図１】本発明の一実施例に係る照明灯装置の本体、蓋及び支持台が分解された状態を示した分解斜視図である。
【図２】本発明の一実施例に係る照明灯装置を示した断面図である。
【図３】本発明の一実施例に係る照明灯装置の作動状態を示した作動状態図である。
【発明を実施するための形態】
【００２１】
以下、添付の図面を参照して本発明の実施例をより詳細に説明する。しかし、本発明は、以下で開示する実施例に限定されるものではなく、互いに異なる多様な形態に具現可能である。但し、本実施例は、本発明の開示を完全にし、通常の知識を有する者に発明の範囲を完全に知らせるために提供されるものである。図面上、同一の符号は同一の要素を示す。
【００２２】
図１は、本発明の一実施例に係る照明灯装置の本体、蓋及び支持台が分解された状態を示した分解斜視図で、図２は、本発明の一実施例に係る照明灯装置を示した断面図で、図３は、本発明の一実施例に係る照明灯装置の作動状態を示した作動状態図である。
【００２３】
図１〜図３に示したように、本発明は、発散される光を介した単純な視覚作用のみならず、生理的及び感性的効果と共に、日常生活で常に所持しているスマートフォンなどの電子機器を無線で充電できる機能を組み入れた照明灯装置に関し、上下が開放された本体１００と、前記本体１００の開放された上端に結合される蓋２００と、前記本体１００の開放された下端に結合される支持板３００とを含む。
【００２４】
前記本体１００は、上下が開放され、その内部が中空状態であり、中空の内側から発散される光が透過できるように透明又は半透明な材質からなる。
【００２５】
特に、本発明の一実施例において、前記本体１００は円柱状に具現したが、これに限定されることなく、三角柱や四角柱などの多角柱の形状にも具現可能である。
【００２６】
そして、前記蓋２００が嵌められて回転・結合できるように、前記本体１００の内側上端部には嵌め口が形成されたり、前記本体１００の内側上端部の周囲に沿ってねじ山が形成されることが好ましい。
【００２７】
また、前記支持板３００が嵌められて回転・結合できるように、前記本体の内側下端部にも嵌め口が形成されたり、前記本体の内側下端部の周囲に沿ってねじ山が形成されることが好ましい。
【００２８】
前記蓋２００は、その上端に配置される電子機器に内蔵されたバッテリを充電するための手段であって、前記本体１００の内側上端部に嵌められて回転・結合される結合部２１０と、前記結合部２１０の上端に結合される充電パッド部２２０とを含んで構成される。
【００２９】
前記結合部２１０は、前記本体１００の周囲に対応する周囲を有し、全体的に板状である。
【００３０】
特に、前記本体１００の内側上端部に嵌め口が形成された場合は、前記嵌め口が嵌められるように前記結合部２１０の外側下端部には嵌め溝が形成されることが好ましく、前記本体１００の内側上端部の周囲に沿ってねじ山が形成された場合は、前記ねじ山にねじ結合できるように前記結合部２１０の外側下端部の周囲に沿って前記ねじ山にねじ結合されるねじ山が形成されることが好ましい。
【００３１】
前記充電パッド部２２０は、前記結合部２１０の周囲に対応する周囲を有し、前記結合部２１０の上端に一体に結合される。
【００３２】
前記充電パッド部２２０の上端は、スマートフォンなどの電子機器に内蔵されたバッテリが充電される領域である無線充電ゾーン（Ｗｉｒｅｌｅｓｓ  ｐｏｗｅｒ  ｔｒａｎｓｆｅｒ  ｚｏｎｅ）になるが、スマートフォンなどの電子機器を充電しようとするユーザーが視覚的に認識できるように「スマートフォンを乗せると充電されます。」という文句が刻まれていることが好ましい。
【００３３】
前記充電パッド部２２０は、前記無線充電ゾーンに配置されるスマートフォンなどの電子機器に内蔵されたバッテリに変圧器の１次コイルと２次コイルとの間の誘導現象を用いた電磁気誘導方式、送受信アンテナ間の共鳴現象を用いた磁気共鳴方式、アンテナを介して電磁波を直接送受信する電磁気波方式のうちいずれか一つの方式を用いて誘導電流を起こすことによって前記バッテリを充電する。
【００３４】
図１及び図２に示したように、前記支持板３００は、電力を供給するための電力供給手段３１０と、前記電力供給手段３１０から電力の供給を受けながら光を発散する多数のＬＥＤ３２１が上面に備えられた印刷回路基板３２０とを内蔵するための手段であって、前記本体１００の開放された下端に結合される。
【００３５】
前記支持板３００は、前記本体１００の周囲に対応する周囲を有し、全体的に板状である。
【００３６】
特に、前記本体１００の内側下端部に嵌め口が形成された場合は、前記嵌め口が嵌められるように前記支持板３００の内側上端部には嵌め溝が形成されることが好ましく、前記本体１００の内側下端部の周囲に沿ってねじ山が形成された場合は、前記ねじ山にねじ結合できるように前記支持板３００の外側上端部の周囲に沿って前記ねじ山にねじ結合されるねじ山が形成されることが好ましい。
【００３７】
前記電力供給手段３１０は、既に放出された電流を再び外部から流入させ、電圧を回復できる充電池であって、前記印刷回路基板３２０及び前記充電パッド部２２０とそれぞれ電気的に連結・設置され、前記支持板３００の内側下端部に配置される。
【００３８】
前記印刷回路基板３２０は、回路設計に基づいて部品を接続するために導体回路を絶縁基板の表面に形成する基板であって、前記電力供給手段３１０が配置された位置から上部に離隔した位置に配置される。
【００３９】
このために、前記支持板３００の内側周囲には、前記印刷回路基板３２０が載置できるように内側方向に突出した段部３００ｂが備えられることが好ましい。
【００４０】
一方、前記電力供給手段３１０と前記印刷回路基板３２０は第１ケーブル３３０を媒介にして電気的に連結・設置され、前記電力供給手段３１０と前記充電パッド部２２０は第２ケーブル３４０を媒介にして電気的に連結・設置される。
【００４１】
このとき、前記第２ケーブル３４０は、前記印刷回路基板３２０の中央に形成された貫通孔３２０ａを通過して高さ方向に沿って垂直に延長され、前記充電パッド部２２０と連結・設置されるが、これは、前記印刷回路基板３２０の上面に備えられる多数のＬＥＤ３２１から発散される光に干渉が起こることを防止するためである。
【００４２】
一方、前記支持板３００の外周面には、前記支持板３００の内部に内蔵された前記電力供給手段３１０を充電したり、前記電力供給手段３１０から電力の供給を受けられるように、電気配線が連結・設置された接続器具が内挿される接続口３００ａが形成される。
【００４３】
すなわち、接続口３００ａは、前記電力供給手段３１０に放出された電流を再び外部から流入させるために、電気配線が連結・設置された接続器具が内挿される部分であって、例えば、ｍｉｃｏＵＳＢ、ライトニングケーブルポートなどの多様な種類の接続器具が内挿できる形態で具現可能であり、前記電力供給手段３１０を充電したり、前記電力供給手段３１０から電力の供給を受けられるならば、如何なる形態で具現されてもよい。
【００４４】
併せて、前記電力供給手段３１０である充電池の残量をユーザーが外部で識別できるように、多数の状態表示ＬＥＤが設けられてもよい。
【００４５】
例えば、前記状態表示ＬＥＤが４個設けられる場合、前記電力供給手段３１０である充電池の残量が１００％であると前記状態表示ＬＥＤ４個が全て点灯され、前記電力供給手段３１０である充電池の残量が７５％〜９９％であると前記状態表示ＬＥＤ３個は点灯され、残りの１個の前記状態表示ＬＥＤは点滅され、前記電力供給手段３１０である充電池の残量が５０％〜７４％であると前記状態表示ＬＥＤ２個は点灯され、残りの２個の前記状態表示ＬＥＤは点滅され、前記電力供給手段３１０である充電池の残量が２５％〜４９％であると前記状態表示ＬＥＤ１個は点灯され、残りの３個の前記状態表示ＬＥＤが点滅され、前記電力供給手段３１０である充電池の残量が０％〜２４％であると前記状態表示ＬＥＤ４個が全て点滅されるようにし、ユーザーが外部で前記電力供給手段３１０である充電池の残量を識別することができる。
【００４６】
本発明に係る照明灯装置は、別途に備えられて制御命令信号を送信する遠隔制御部４００をさらに含む。
【００４７】
前記遠隔制御部４００は、前記印刷回路基板３２０の上面に備えられるＬＥＤを遠距離で制御するための手段であって、全体的にリモートコントロールと類似している。但し、前記遠隔制御部４００には、前記ＬＥＤを点灯又は点滅させるオンオフボタン４１０と、前記ＬＥＤが点灯された状態で明るさや彩度を調節する調節ボタン４２０と、一定時間ごとに前記ＬＥＤから発散される光の色を変換させる色変換ボタン４３０と、点灯された状態の前記ＬＥＤを既に設定された時刻に点滅させる自動点滅ボタン４４０とが備えられる。
【００４８】
前記遠隔制御部４００には、前記オンオフボタン４１０、前記調節ボタン４２０、前記色変換ボタン４３０及び前記自動点滅ボタン４４０を加圧したとき、該当ボタンの機能を具現可能にする制御命令信号を送信するように設計された回路基板が内蔵されることが好ましい。
【００４９】
そして、前記色変換ボタン４３０は３個備えられ、それぞれのボタンには「Ｃ」字、「Ｗ」字、「Ｔ」字が刻まれており、このとき、「Ｃ」字が刻まれた色変換ボタン４３０は、加圧時に多数のＬＥＤ３２１からそれぞれ異なる色の光を発散し、「Ｗ」字が刻まれた色変換ボタン４３０は、加圧時に前記ＬＥＤ３２１から白色の光を発散し、「Ｔ」字が刻まれた色変換ボタン４３０は、加圧時に一定時間ごとに異なる色の光を発散する。
【００５０】
一方、本発明の一実施例では、色変換ボタン４３０を活用して光の色を手動で選択できるように具現したが、これに限定されることなく、本発明の照明灯装置と互換可能な曲がるフレキシブルディスプレイ、スマートセンサ、低電力無線通信、モバイル運営体制などのＩＴ技術が日常生活で使用される時計、眼鏡、服、ヘルメットなどに組み入れられたウェアラブル機器から伝達された生体診断情報に基づいて治癒に適した色に自動的に転換されるように具現することも可能である。
【００５１】
また、前記調節ボタン４２０は４個備えられ、２個のボタンには「＋」字が刻まれ、残りの２個のボタンには「−」字が刻まれている。このとき、「＋」字が刻まれた２個のボタンは、加圧時にそれぞれＬＥＤ３２１から発散される光の明るさ及び彩度を高め、「−」字が刻まれた２個のボタンは、加圧時にそれぞれＬＥＤ３２１から発散される光の明るさ及び彩度を低下させる。
【００５２】
そして、前記印刷回路基板３２０には前記遠隔制御部から制御命令信号を受信し、この受信された信号を送信する信号送受信口３２２と、前記信号送受信口３２２から送信された制御命令信号を受信し、この受信された制御命令信号によって前記ＬＥＤ３２１を点灯又は点滅させたり、前記ＬＥＤ３２１が点灯された状態で明るさや彩度を調節したり、一定時間ごとに前記ＬＥＤ３２１から発散される光の色を変換させたり、点灯された状態の前記ＬＥＤ３２１を既に設定された時刻に点滅させるように制御するコントロールチップ３２３とが備えられる。
【００５３】
前記信号送受信口３２２は、ブルートゥース（登録商標）、ＲＦＩＤ（Ｒａｄｉｏ  Ｆｒｅｑｕｅｎｃｙ  Ｉｄｅｎｔｉｆｉｃａｔｉｏｎ）などの無線送受信を可能にするハードウェアであって、無線送受信を可能にする構成であれば、上述した方式に制限されることなく、多様に変形して使用可能である。
【００５４】
一方、本発明の照明灯装置には、陰イオン発生器をさらに内蔵又は装着し、ユーザーのイオン化率を上昇させ、アルカリ化の進行を通じて血液を浄化し、エンドルフィン及びエンケファリンを発生させ、疲労回復、体力回復、痛み部位の細胞の活性化による痛み緩和などの効果を期待することもできる。
【００５５】
また、本発明の照明灯装置に、一般型音声受信機を内蔵したり、前記接続口３００ａに着脱可能なＵＳＢ端子が形成された超小型音声受信機を含むならば、音声認識を通じて上述した各作動を音声信号として制御することも可能である。
【００５６】
本発明は、添付の図面及び上述した好適な実施例を参照して説明したが、本発明は、これに限定されるものでなく、後述する特許請求の範囲によって限定される。したがって、本技術分野で通常の知識を有する者であれば、後述する特許請求の範囲の技術的思想から逸脱しない範囲内で本発明を多様に変形及び修正可能である。
【産業上の利用可能性】
【００５７】
本発明の照明灯装置は、本体の内部に備えられ、周辺を照らすＬＥＤから多様な色の光を発散することによって、発散される光が人の視神経を介して大脳に伝達され、刺激、生気、休息及び鎮静などの心理的な役割を管理できるという効果を有することはもちろん、無線充電ゾーンを形成する充電パッド部を備えることによって、上端に配置される電子機器に内蔵されたバッテリに誘導電流を起こして充電できるという効果を有する。
【００５８】
本発明の照明灯装置は、一般型音声受信装置を内蔵したり、接続口に着脱可能なｕｓｂ端子が形成された超小型音声受信機を含むことによって、無線機能を共に有するグーグルホームやアマゾンエコーのように、音声認識を通じて照明の色変換、照明の点灯や点滅時間などを制御できるという効果を有する。
【符号の説明】
【００５９】
１００    本体                  ２００    蓋
２１０    結合部                ２２０    充電パッド部
３００    支持板                ３００ａ    接続口
３００ｂ    段部                ３１０    電力供給手段
３２０    印刷回路基板          ３２０ａ    貫通孔
３２１    ＬＥＤ                ３２２    信号送受信口
３２３    コントロールチップ    ３３０    第１ケーブル
３４０    第２ケーブル          ４００    遠隔制御部
４１０    オンオフボタン        ４２０    調節ボタン
４３０    色変換ボタン          ４４０    自動点滅ボタン
【図１】
2019510358.tif 000003
【図２】
2019510358.tif 000004
【図３】
2019510358.tif 000005
【国際調査報告】
2019510358.tif 000006
2019510358.tif 000007
2019510358.tif 000008
2019510358.tif 000009